(57)【要約】【課題】吸収体の吸収能力を向上させることができる吸収性物品を提供する。【解決手段】本発明の吸収性物品１は、表面シート１２、吸収性コア１３と該吸収性コア１３を被覆するコアラップシート１４とを有する吸収体１１、及び裏面シート１５を備えている。吸収性コア１３の非肌対向面側に位置する下側コアラップシート１４ｂは、ストライプ状に配された第１接着剤２を介して前記吸収性コア１３の非肌対向面に接合されており、且つストライプ状に配された第２接着剤３を介して前記裏面シート１５の肌対向面に接合されている。下側コアラップシート１４ｂは、吸収性コア１３及び裏面シート１５の何れにも接着されていない非接着部５を物品幅方向Ｙに複数有しており、該複数の非接着部５それぞれは物品長手方向Ｘに延びている。【選択図】図３
2018102805.tif 000002
【特許請求の範囲】
【請求項１】
表面シート、吸収体及び裏面シートを備え、長手方向及びそれと直交する幅方向を有する縦長の吸収性物品であって、
前記吸収体は、吸収性コアと該吸収性コアを被覆するコアラップシートとを有しており、
前記吸収性コアの非肌対向面側に位置する下側コアラップシートは、ストライプ状に配された第１接着剤を介して前記吸収性コアの非肌対向面に接合されており、且つストライプ状に配された第２接着剤を介して前記裏面シートの肌対向面に接合されており、
前記下側コアラップシートは、前記吸収性コア及び前記裏面シートの何れにも接着されていない非接着部を前記幅方向に複数有し、複数の該非接着部それぞれは前記長手方向に延びている、吸収性物品。
【請求項２】
前記第１接着剤が配された接着剤配置部は、前記第２接着剤が配された接着剤配置部に比して、前記幅方向における配置ピッチが短い、請求項１に記載の吸収性物品。
【請求項３】
前記第１接着剤が配された接着剤配置部は、前記第２接着剤が配された接着剤配置部に比して、前記幅方向における長さが長い、請求項１又は２に記載の吸収性物品。
【請求項４】
前記第２接着剤は、前記幅方向の中央領域に配される第２接着剤と、該中央領域の両側に配される第２接着剤とで湿潤時の接着強度が異なっている、請求項１〜３の何れか１項に記載の吸収性物品。
【請求項５】
前記裏面シートは、防漏シートと該防漏シートの非肌対向面を被覆する外装不織布とを備えており、
前記防漏シートと前記外装不織布との間が、ストライプ状に配された第３接着剤を介して接合されており、
前記防漏シートと前記外装不織布との間に、前記第３接着剤が配された第３接着剤配置部と、前記第３接着剤が配されていない第３接着剤非配置部とが、前記幅方向に交互に且つそれぞれ前記長手方向に延びて形成されており、
前記第３接着剤非配置部と前記下側コアラップシートの前記非接着部とが、吸収性物品の平面視において重なっている、請求項１〜４の何れか１項に記載の吸収性物品。
【請求項６】
前記第２接着剤が配された接着剤配置部は、前記第３接着剤配置部に比して、前記幅方向における配置ピッチが長い、請求項５に記載の吸収性物品。
【請求項７】
前記第２接着剤が配された接着剤配置部は、前記第３接着剤配置部に比して、前記幅方向における長さが短い、請求項５又は６に記載の吸収性物品。
【請求項８】
前記裏面シートは、防漏シートと該防漏シートの非肌対向面を被覆する外装不織布とを備えており、
前記防漏シートと前記外装不織布との間が、スパイラル状に配された第３接着剤を介して接合されており、
前記防漏シートと前記外装不織布との間には、前記第３接着剤が配された第３接着剤配置部と、前記第３接着剤が配されていない第３接着剤非配置部とが前記幅方向に交互に、且つそれぞれ長手方向に延びて形成されており、
前記第３接着剤非配置部と前記下側コアラップシートの前記非接着部とは、前記吸収性物品の平面視において重なっている、請求項１〜４の何れか１項に記載の吸収性物品。
【発明の詳細な説明】
【技術分野】
【０００１】
本発明は、吸収性物品に関する。
【背景技術】
【０００２】
使い捨ておむつや、尿パッド等の吸収性物品として、液透過性の表面シート、液不透過性の裏面シート及び両シート間に配置された縦長の吸収体を具備しているものが知られている。例えば、特許文献１には、防水性外被体と、各側部に側縁を残すように該防水外被体の外縁より内側に入り込んで該外被体内部に固定する吸水パッドと、該外被体及び該吸水パッドの内面に重ねる内側吸水シートとを包含する、失禁症の小児用及び成人用の使い捨ておむつが記載されている。また特許文献１の第１図には、吸水パッドと防水外被体との間をストライプ状に塗工した接着剤で接合したことが示されている。
【０００３】
また、吸収性物品が備える吸収体として、尿等の排泄液を吸収する吸収性コアと、該吸収性コアを被覆するコアラップシートとを有するものが知られている。本出願人は、先に、吸収ポリマーを含む吸収性コアと該吸収性コアを包む被覆材とを有し、該被覆材における肌対向面側の肌側被覆材と該吸収性コアの肌対向面とが肌側接着剤を介して固定され、該被覆材における非肌対向面側の非肌側被覆材と該吸収性コアの非肌対向面とが非肌側接着剤を介して固定されている吸収体を備える吸収性物品を提案している（特許文献２）。
【先行技術文献】
【特許文献】
【０００４】
【特許文献１】特開平０１−１１８６０５号公報
【特許文献２】特開２０１４−１００３０７号公報
【発明の概要】
【発明が解決しようとする課題】
【０００５】
吸収性物品の吸収体には、夜間の使用のように吸収性物品を長時間使用する場合でも、多量の排尿量を吸収し得る高い吸収能力が求められている。しかし特許文献１は、吸収体の吸収能力を向上させる構成を開示するものではない。また、特許文献２の吸収性物品は、吸収体の吸収能力に改善の余地がある。
【０００６】
従って、本発明の課題は、前述した従来技術が有する欠点を解消し得る吸収性物品を提供することにある。
【課題を解決するための手段】
【０００７】
本発明は、表面シート、吸収体及び裏面シートを備え、長手方向及びそれと直交する幅方向を有する縦長の吸収性物品であって、前記吸収体は、吸収性コアと該吸収性コアを被覆するコアラップシートとを有しており、前記吸収性コアの非肌対向面側に位置する下側コアラップシートは、ストライプ状に配された第１接着剤を介して前記吸収性コアの非肌対向面に接合されており、且つストライプ状に配された第２接着剤を介して前記裏面シートの肌対向面に接合されており、前記下側コアラップシートは、前記吸収性コア及び前記裏面シートの何れにも接着されていない非接着部を前記幅方向に複数有しており、該複数の非接着部それぞれは前記長手方向に延びている、吸収性物品を提供するものである。
【発明の効果】
【０００８】
本発明の吸収性物品によれば、吸収体の吸収能力を向上させることができる。
【図面の簡単な説明】
【０００９】
【図１】図１は、本発明の一実施形態としての使い捨ておむつの斜視図である。
【図２】図２は、図１に示す使い捨ておむつを平面状に拡げた展開状態を示す平面図である。
【図３】図３は、図２のＩ−Ｉ線断面を模式的に示す横断面図である。
【図４】図４は、本発明に係る第１〜３接着剤による接合状態を示す平面図である。
【図５】図５（ａ）〜（ｄ）は、本発明に係る第１〜３接着剤の配置を示す図である。
【図６】図６（ａ）は、本発明に係る非接着部を示す図であり、図６（ｂ）は、非接着部と第３接着剤非配置部との重なりを示す図である。
【図７】図７は、本発明の吸収性物品の作用効果を説明する説明図である。
【発明を実施するための形態】
【００１０】
以下、本発明をその好ましい実施形態に基づき図面を参照しながら説明する。
図１、図２及び図３には、本発明の吸収性物品の一実施形態である使い捨ておむつ１（以下、単におむつ１ともいう）の基本的な構造が示されている。
おむつ１は、図２及び図３に示すように、表面シート１２、吸収体１１及び裏面シート１５を備えている。表面シート１２は、おむつ１の肌対向面を形成し、裏面シート１５は、おむつ１の非肌対向面を形成している。吸収体１１は、おむつ１の厚み方向において、表面シート１２と裏面シート１５との間に配置されている。
肌対向面は、吸収性物品又はその構成部材において、着用時に着用者の肌側に向けられる面であり、非肌対向面は、吸収性物品又はその構成部材において、着用時に着用者の肌側とは反対側に向けられる面である。
【００１１】
おむつ１（吸収性物品）は、縦長の形状をしており、長手方向Ｘ（縦方向）と、おむつ１を、図２に示すように平面状に広げた状態において、該長手方向Ｘと直交する幅方向Ｙとを有している。おむつ１の長手方向Ｘは、着用時に、着用者の前後方向に対応する方向である。
おむつ１は、長手方向Ｘに、着用時に着用者の腹側に位置する腹側部Ａ、背側に位置する背側部Ｂ、及び腹側部Ａと背側部Ｂとの間に配される股下部Ｃを有している。また、おむつ１は、おむつ１を幅方向Ｙに二等分して長手方向Ｘに延びる中央線ＣＬの左右両側が該中央線ＣＬに対して線対称の構造を有している（図２参照）。
おむつ１は、展開型の使い捨ておむつであり、背側部Ｂの両側縁部にファスニングテープ７が設けられており、腹側部Ａの外表面に、そのファスニングテープ７を止着するランディングゾーン８が設けられている。
【００１２】
おむつ１の長手方向Ｘの両側には、弾性部材１６ａを有する立体ギャザー形成用のシート１６が配されており、その弾性部材１６ａの収縮により、着用状態における股下部Ｃに、着用者の肌側に向かって起立する立体ギャザーが形成される。また、股下部Ｃにおける脚周りに配される部位には、レッグ部弾性部材１７が伸長状態で配されており、その収縮により、着用状態における股下部Ｃに着用者の脚周りへのフィット性を向上させるレッグギャザーが形成される。
【００１３】
おむつ１における吸収体１１は、吸収性コア１３と該吸収性コア１３を被覆するコアラップシート１４とを有している。吸収性コア１３は、例えばパルプ繊維等の吸液性繊維と吸水性ポリマーとの混合積繊体から構成することができる。吸液性繊維としては、例えば、パルプ繊維、レーヨン繊維、コットン繊維、酢酸セルロース等のセルロース系の親水性繊維が挙げられる。セルロース系の親水性繊維以外に、ポリオレフィン、ポリエステル、ポリアミド等の合成樹脂からなる繊維を界面活性剤等により親水化したものを用いることもできる。セルロース系の親水性繊維と、熱可塑性樹脂等からなる合成繊維を併用することもできる。
吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸水性ポリマーとしては、自重の２０倍、好ましくは３０倍以上の質量の水を吸収可能なものが好ましく用いられる。
【００１４】
おむつ１のコアラップシート１４は、図３に示すように、吸収性コア１３の肌対向面側に位置する上側コアラップシート１４ａと、非肌対向面側に位置する下側コアラップシート１４ｂとを有している。コアラップシート１４としては、例えば、ティッシュペーパーや透水性の不織布が用いられる。上側コアラップシート１４ａと下側コアラップシート１４ｂとは連続する一枚のシートであっても良いし、別体のシートであっても良い。コアラップシート１４は、１枚で吸収性コア１３の全体を包んでいても良いし、２枚以上を組み合わせて吸収性コア１３を包んでいても良い。
【００１５】
下側コアラップシート１４ｂは、第１接着剤２を介して吸収性コア１３の非肌対向面に接合されており、且つ第２接着剤３を介して裏面シート１５の肌対向面に接合されている。第１接着剤２は、下側コアラップシート１４ｂと吸収性コア１３の非肌対向面を接合する接着剤であり、第２接着剤３は、下側コアラップシート１４ｂと裏面シート１５の肌対向面を接合する接着剤である。また、第２接着剤３は、下側コアラップシート１４ｂの幅方向Ｙにおける側縁及び長手方向Ｘにおける端縁を越えた延出部分において同じパターンで配されていても良い。この場合、第２接着剤３は、前記延出部分において裏面シート１５の肌対向面を、表面シート１２及び立体ギャザー形成用シート１６の何れか一方又は双方に接合している。なお、第１接着剤２及び第２接着剤３は、本発明を説明する上で便宜的に用いる用語であり、第１接着剤２及び第２接着剤３には同一の接着剤を用いても良いし、それぞれ異なる種類の接着剤を用いても良い。
【００１６】
おむつ１は、図３に示すように、下側コアラップシート１４ｂの非肌対向面側に裏面シート１５を有している。おむつ１における裏面シート１５は、液不透過性又は液難透過性の樹脂フィルムからなる防漏シート１５ａと、該防漏シート１５ａの非肌対向面を被覆する外装不織布１５ｂとの積層体からなる。なお、本発明における裏面シート１５は、防漏シート１５ａのみからなるものであっても良い。
【００１７】
第１接着剤２は、図３及び図４に示すように、ストライプ状に配されている。具体的には、下側コアラップシート１４ｂと吸収性コア１３の非肌対向面との間において、第１接着剤２が配された第１接着剤配置部２０と、第１接着剤２が配されていない第１接着剤非配置部２５とが幅方向Ｙに交互に、且つそれぞれ長手方向Ｘに延びている。第２接着剤３も同様に、ストライプ状に配されている。具体的には、下側コアラップシート１４ｂと裏面シート１５との間において、第２接着剤３が配された第２接着剤配置部３０と、第２接着剤３が配されていない第２接着剤非配置部３５とが幅方向Ｙに交互に、且つそれぞれ長手方向Ｘに延びている。幅方向Ｙにおける、第１接着剤配置部２０の長さ及び第２接着剤配置部３０の長さは、それぞれ一定であっても良く、一定でなくても良いが、本実施形態のように、一定であることが好ましい。また、幅方向Ｙにおける、第１接着剤非配置部２５の長さ及び第２接着剤非配置部３５の長さは、図３及び図に示すように、それぞれ一定であっても良く、一定でなくても良いが、本実施形態のように、一定であることが好ましい。
【００１８】
下側コアラップシート１４ｂは、吸収性コア１３及び裏面シート１５の何れにも接着されていない非接着部５を幅方向Ｙに複数有している。具体的には、非接着部５は、おむつ１における第１接着剤非配置部２５と第２接着剤非配置部３５とが重なった部分であり、該部分は第１接着剤２及び第２接着剤３の何れもが存在しない。また、複数の非接着部５は、第１接着剤非配置部２５と第２接着剤非配置部３５と同様に、それぞれ長手方向Ｘに延びている。
【００１９】
下側コアラップシート１４ｂの非接着部５は、第１接着剤配置部２０と重なっておらず且つ第２接着剤配置部３０とも重なっていない部分であり、長手方向Ｘに延びるように形成されていれば良く、第１接着剤非配置部２５と第２接着剤非配置部３５とが重なる形態は特に制限されない。すなわち、非接着部５は、第１接着剤配置部２０どうし間、第２接着剤配置部３０どうし間、及び第１接着剤配置部２０と第２接着剤と３０の間のいずれの部位に形成されていても良い。
例えば、図６（ａ）の左側の非接着部５のように、第１接着剤非配置部２５と第２接着剤非配置部３５とが完全に重なって、非接着部５を形成しても良い。第１接着剤非配置部２５と第２接着剤非配置部３５とが完全に重なるとは、幅方向Ｙにおける第１接着剤非配置部２５の両端部の一方と，第２接着剤非配置部３５の両端部の一方とがそれぞれ完全に一致する場合、及び幅方向Ｙにおける一方の接着剤非配置部の両端部が、他方の接着剤非配置部の両側部よりも外方に延出している場合の双方を包含する。
また、図６（ａ）の右側の非接着部５のように、両接着剤非配置部２５，３５が部分的に重なって、非接着部５を形成しても良い。この場合、非接着部５は、幅方向Ｙにおける第１接着剤配置部２０又は第２接着剤配置部３０の両側に形成されている。
【００２０】
本実施形態のおむつ１によれば、下側コアラップシート１４ｂが、吸収性コア１３及び裏面シート１５のいずれにも接合されていない非接着部５を有しているため、下側コアラップシート１４ｂが幅方向Ｙに伸び易く、吸収体１１が排泄液を吸収した際、吸収体１１が全体として膨らみやすく（図７参照）、吸水性ポリマーや吸収体の膨潤が阻害される現象である膨潤阻害も生じにくい。そのため、吸収性ポリマーの吸収容量が有効に活用され、吸収体１１が優れた吸収性能を発現する。
一方、下側コアラップシート１４ｂの肌対向面又は非肌対向面の全面に接着剤がベタ塗りされていると、吸収体１１が膨らみ難くなったり、吸水性ポリマーの膨潤阻害が生じて、吸収体１１における吸水性ポリマーの吸収能力を十分発揮させることができない場合がある。
【００２１】
吸収性コア１３、下側コアラップシート１４ｂ及び裏面シート１５の各部材が幅方向Ｙに効率的に伸びる観点、及び非接着部５を容易に形成する観点から、第１接着剤２が配された第１接着剤配置部２０は、第２接着剤３が配された第２接着剤配置部３０に比して、幅方向Ｙにおける配置ピッチが短いことが好ましい。第１接着剤配置部２０の配置ピッチＰａの長さは、図５（ａ）に示すように、幅方向Ｙにおける第１接着剤配置部２０の長さＷａ及び接着剤非配置部２５の長さＤａの合計の長さである。また、第２接着剤配置部３０の配置ピッチＰｂの長さは、図５（ｂ）に示すように、幅方向Ｙにおける接着剤配置部３０の長さＷｂ及び接着剤非配置部３５の長さＤｂの合計の長さである。
【００２２】
第１接着剤配置部２０の配置ピッチＰａ〔図５（ａ）参照〕は、第２接着剤配置部３０の配置ピッチＰｂ〔図５（ｂ）参照〕に対して、好ましくは１０％以上、より好ましくは１５％以上であり、また好ましくは８５％以下、より好ましくは５０％以下であり、また好ましくは１０％以上８５％以下、より好ましくは１５％以上５０％以下である。
第１接着剤配置部２０の配置ピッチＰａ〔図５（ａ）参照〕と、第２接着剤配置部３０の配置ピッチＰｂ〔図５（ｂ）参照〕との差は、好ましくは１ｍｍ以上、より好ましくは１０ｍｍ以上であり、また好ましくは４５ｍｍ以下、より好ましくは３５ｍｍ以下であり、また好ましくは１ｍｍ以上４５ｍｍ以下、より好ましくは１０ｍｍ以上３５ｍｍ以下である。
【００２３】
同様の観点から、第１接着剤配置部２０は、第２接着剤配置部３０に比して、幅方向Ｙにおける長さが長いことが好ましい。
幅方向Ｙにおける第１接着剤配置部２０の長さＷａ〔図５（ａ）参照〕は、幅方向Ｙにおける第２接着剤配置部３０の長さＷｂ〔図５（ｂ）参照〕に対して、好ましくは１２０％以上、より好ましくは１５０％以上であり、また好ましくは４００％以下、より好ましくは３００％以下であり、また好ましくは１２０％以上４００％以下、より好ましくは１５０％以上３００％以下である。
幅方向Ｙにおける第１接着剤配置部２０の長さＷａ〔図５（ａ）参照〕と、幅方向Ｙにおける第２接着剤配置部３０の長さＷｂ〔図５（ｂ）参照〕との差は、好ましくは０．５ｍｍ以上、より好ましくは１．０ｍｍ以上であり、また好ましくは３．０ｍｍ以下、より好ましくは２．５ｍｍ以下であり、また好ましくは０．５ｍｍ以上３．０ｍｍ以下、より好ましくは１．０ｍｍ以上２．５ｍｍ以下である。
【００２４】
第１ストライプ配置領域２１は、第１接着剤２をストライプ状に配した領域であり、第１接着剤配置部２０と第１接着剤非配置部２５とを含む領域である。
吸収体１１の膨潤阻害の抑制、及び吸収性コア１３と下側コアラップシート１４ｂとの接合強度のバランスの観点から、第１接着剤２は下記の寸法で配されていることが好ましい。
幅方向Ｙにおける第１ストライプ配置領域２１の長さＷ１（図４参照）は、同方向Ｙにおける吸収性コア１３の最大長さＷ１３（図４参照）と同じであることが好ましい。ここで「同じである」ということは、幅方向Ｙにおける第１ストライプ配置領域２１の長さＷ１と、同方向Ｙにおける吸収性コア１３の最大長さＷ１３との比が１０％以内であることをいう。また、長手方向Ｘにおける第１ストライプ配置領域２１の長さＬ１（図４参照）は、同方向Ｘにおける吸収性コア１３の全長Ｌ１３（図４参照）と同じであることが好ましい。ここで「同じである」ということは、長手方向Ｘにおける第１ストライプ配置領域２１の長さＬ１と、同方向Ｘにおける吸収性コア１３の全長Ｌ１３との比が１０％以内であることをいう。
【００２５】
幅方向Ｙにおける第１接着剤配置部２０の長さＷａ〔図５（ａ）参照〕は、第１接着剤配置部２０の配置ピッチＰａに対して、好ましくは２０％以上、より好ましくは３０％以上であり、また好ましくは８０％以下、より好ましくは７０％以下であり、また好ましくは２０％以上８０％以下、より好ましくは３０％以上７０％以下である。
幅方向Ｙにおける第１接着剤配置部２０の長さＷａ〔図５（ａ）参照〕は、好ましくは１．０ｍｍ以上、より好ましくは１．５ｍｍ以上であり、また好ましくは５．０ｍｍ以下、より好ましくは４．０ｍｍ以下であり、また好ましくは１．０ｍｍ以上５．０ｍｍ以下、より好ましくは１．５ｍｍ以上４．０ｍｍ以下である。  
幅方向Ｙにおける第１接着剤非配置部２５の長さＤａ〔図５（ａ）参照〕は、好ましくは０．５ｍｍ以上、より好ましくは１．０ｍｍ以上であり、また好ましくは５．０ｍｍ以下、より好ましくは４．０ｍｍ以下であり、また好ましくは０．５ｍｍ以上５．０ｍｍ以下、より好ましくは１．０ｍｍ以上４．０ｍｍ以下である。
【００２６】
第２ストライプ配置領域３１は、第２接着剤３をストライプ状に配した領域であり、第２接着剤配置部３０と第２接着剤非配置部３５とを含む領域である。第２接着剤３は、前述した通り、幅方向Ｙにおける下側コアラップシート１４ｂの側縁を越えた延出部分において同じパターンで配されていても良いが、この場合、下側コアラップシート１４ｂと重なる部分だけでなく、幅方向Ｙにおける下側コアラップシート１４ｂの側縁を越えて配された第２接着剤配置部２０も含めて第２ストライプ配置領域３１とする。
【００２７】
吸収体１１の膨潤阻害の抑制、及び下側コアラップシート１４ｂと裏面シート１５との接合強度のバランスの観点から、第２接着剤３は下記の範囲及び寸法で配されていることが好ましい。
第２ストライプ配置領域３１は、幅方向Ｙにおける下側コアラップシート１４ｂの全域に亘っていることが好ましく、下側コアラップシート１４ｂよりも幅方向Ｙの外側に延出していることがより好ましい。幅方向Ｙにおける第２ストライプ配置領域３１の長さＷ２（図４参照）は、該同方向Ｙにおける下側コアラップシート１４ｂの最大長さＷ１４ｂ（図４参照）より長いことが好ましい。また、第２ストライプ配置領域３１は、長手方向Ｘにおいて下側コアラップシート１４ｂの全長に亘っていることが好ましく、下側コアラップシート１４ｂよりも長手方向Ｘの外側に延出していることがより好ましい。長手方向Ｘにおける第２ストライプ配置領域３１の長さＬ２（図４参照）は、同方向Ｘにおける下側コアラップシート１４ｂの全長Ｌ１４ｂ（図４参照）よりも長いことが好ましく、同方向Ｘにおける防漏シート１５ａの全長と等しいことがより好ましく、同方向Ｘにおける吸収性物品の全長と等しいことがさらに好ましい。
【００２８】
幅方向Ｙにおける第２接着剤配置部３０の長さＷｂ〔図５（ｂ）参照〕は、第２接着剤配置部３０の配置ピッチＰｂに対して、好ましくは２．５％以上、より好ましくは３％以上であり、また好ましくは１５％以下、より好ましくは１０％以下であり、また好ましくは２．５％以上１５％以下、より好ましくは３％以上１０％以下である。
幅方向Ｙにおける第２接着剤配置部３０の長さＷｂ〔図５（ｂ）参照〕は、好ましくは０．５ｍｍ以上、より好ましくは１．０ｍｍ以上であり、また好ましくは３．０ｍｍ以下、より好ましくは２．５ｍｍ以下であり、また好ましくは０．５ｍｍ以上３．０ｍｍ以下、より好ましくは１．０ｍｍ以上２．５ｍｍ以下である。
幅方向Ｙにおける第２接着剤非配置部３５の長さＤｂ〔図５（ｂ）参照〕は、好ましくは３ｍｍ以上、より好ましくは５ｍｍ以上であり、また好ましくは５０ｍｍ以下、より好ましくは４０ｍｍ以下であり、また好ましくは３ｍｍ以上５０ｍｍ以下、より好ましくは５ｍｍ以上４０ｍｍ以下である。
【００２９】
吸収体１１の膨潤阻害をより抑制する観点から、幅方向Ｙにおける非接着部５の長さＷ５〔図６（ａ）参照〕は、幅方向Ｙにおける第１接着剤非配置部２５の長さＤａ〔図６（ａ）参照〕に対して、好ましくは２０％以上、より好ましくは４０％以上であり、また好ましくは１００％以下、より好ましくは８０％以下であり、また好ましくは２０％以上１００％以下、より好ましくは４０％以上８０％以下である。
また、幅方向Ｙにおける非接着部５の長さＷ５〔図６（ａ）参照〕の総和は、幅方向Ｙにおける第２接着剤非配置部３５の長さＤｂ〔図６（ａ）参照〕の総和に対して、好ましくは１５％以上、より好ましくは２５％以上であり、また好ましくは７５％以下、より好ましくは６５％以下であり、また好ましくは１５％以上７５％以下、より好ましくは２５％以上６５％以下である。
幅方向Ｙにおける非接着部５の長さＷ５〔図６（ａ）参照〕は、好ましくは０．５ｍｍ以上、より好ましくは１．０ｍｍ以上であり、また好ましくは４．０ｍｍ以下、より好ましくは２．５ｍｍ以下であり、また好ましくは０．５ｍｍ以上４．０ｍｍ以下、より好ましくは１．０ｍｍ以上２．５ｍｍ以下である。
【００３０】
同様の観点から、非接着部５は、長手方向Ｘにおいて、吸収体１１の全長に亘って連続して延びていることが好ましく、吸収性物品の全長と等しいことがより好ましい。尚、長手方向Ｘにおける第１接着剤２及び第２接着剤３の長さが吸収性物品（おむつ１）の全長よりも短い場合、長手方向Ｘにおける両接着剤２，３の端縁よりも外方に延出した部分、即ち幅方向Ｙにおいて両接着剤２，３が存在しない部分が、第１接着剤非配置部２５及び第２接着剤非配置部３５と連続して、非接着部５を成していても良い。
【００３１】
おむつ１における第２接着剤３は、相互に異なる部位に配される弱接着剤３ａと強接着剤３ｂとを有している。第２接着剤３としては、下側コアラップシートと裏面シートとの間を異なる接着強度で接合する複数種類の接着剤を用いることもできる。例えば、第２接着剤として、幅方向Ｙの中央領域に配される接着剤と、該中央領域を挟む側方領域のそれぞれに配される接着剤とで湿潤時の接着強度が異なっていることが好ましく、側方領域のそれぞれに、中央領域に配される接着剤よりも湿潤時の接着強度の強い接着剤を配することがより好ましい。斯かる構成により、排泄液で吸収体１１が湿潤した際、幅方向Ｙにおける吸収体１１の中央部を幅方向Ｙに伸び易くして、該吸収体１１の膨潤阻害をより抑制することができる。湿潤時の接着強度は、吸収体１１が排泄液と接触して湿潤した状態における接着強度を想定している。また、湿潤時の接着強度の大小は、以下に示す方法で確認するものとする。
【００３２】
＜接着強度の大小の確認試験＞
おむつ１の幅方向Ｙに沿って吸収性コア１３が存在する任意の部分を切断し、その切断面の下側コアラップシート１４ｂに当たる部分を中心にスプレーで水を徐々に含浸させる。下側コアラップシート１４ｂと裏面シート１５とが剥離する方向に力を加え、下側コアラップシート１４ｂ及び裏面シート１５が破断無く剥がれるかどうかを確認し、剥がれが無ければ更に水の含浸量を増やす。この操作を下側コアラップシート１４ｂと裏面シート１５とが完全に剥離するまで繰り返す。この下側コアラップシート１４ｂと裏面シート１５とが完全に剥離した際の水の含浸量によって、湿潤時の接着強度の大小を判断することができる。
この方法において、弱接着剤３ａの配置領域は、強接着剤３ｂの配置領域よりも少ない水の含浸量で下側コアラップシート１４ｂと裏面シート１５との剥離が発生する。
【００３３】
弱接着剤３ａは、幅方向Ｙにおける下側コアラップシート１４ｂの中央領域Ｍに配されていることが好ましいが、中央領域Ｍは、幅方向Ｙにおける下側コアラップシート１４ｂの最大長さＷ１４ｂを３等分して３領域に区分したときの中央の領域に配されていることが好ましい。
また、強接着剤３ｂは、幅方向Ｙにおける下側コアラップシート１４ｂの最大長さＷ１４ｂを３等分して３領域に区分したときの両側の２領域に配されていることが好ましい。
【００３４】
おむつ１において裏面シート１５は、防漏シート１５ａと外装不織布１５ｂとを備えている。防漏シート１５ａと外装不織布１５ｂとは、図３及び図４に示すように、ストライプ状に配された第３接着剤４を介して接合されている。第３接着剤４は、防漏シート１５ａと外装不織布１５ｂとを接合する接着剤である。なお、第３接着剤も本発明を説明する上で便宜上用いる用語であり、第３接着剤として、前述した第１接着剤や第２接着剤と同一の接着剤を用いても良いし、異なる種類の接着剤を用いても良い。
【００３５】
第３接着剤４は、第３接着剤４が配された複数の第３接着剤配置部４０が幅方向Ｙに間隔を空けて配されている。即ち、第３接着剤配置部４０と、該第３接着剤４が配されていない第３接着剤非配置部４５とが幅方向Ｙに交互に、且つそれぞれ長手方向Ｘに延びて形成されている。第３接着剤配置部４０は、図３及び図４に示すように、第３接着剤配置部４０間の間隔が一定であっても良く、一定でなくても良いが、本実施形態のように、一定であることが好ましい。第３接着剤配置部４０同士間には、第３接着剤非配置部４５が存在しており、その部位では、防漏シート１５ａと外装不織布１５ｂとは接合されていない。以下、第３接着剤４をストライプ状に配した領域である、第３接着剤配置部４０と第３接着剤非配置部４５とを含めた領域を、第３ストライプ配置領域４１ともいう。
【００３６】
上記のように、防漏シート１５ａと外装不織布１５ｂとが、ストライプ状に配された第３接着剤４により接合されていると、着用（装着）の際又は着用中に、外装不織布１５ｂと防漏シート１５ａとの接合強度を保ちつつ、外装不織布１５ｂの風合い、特に外装不織布１５ｂの非肌対向面の感触を柔らかくすることができる。また、防漏シート１５ａとして、透湿性を有するものを用いた場合、透湿性の低下を抑えることができるので、おむつ１をムレにくくすることができる。
【００３７】
また、第３接着剤非配置部４５と前述した非接着部５とが、おむつ１（吸収性物品）の平面視において重なっていると、前述した吸収体１１の膨潤阻害をより抑制することができる。以下、第３接着剤非配置部４５と非接着部５とが重なっている部分を、非接着重複部６ともいう。非接着重複部６には、第１接着剤２、第２接着剤３及び第３接着剤４の何れもが存在しない。
【００３８】
上記の効果をより確実に奏させる観点から、幅方向Ｙにおける非接着重複部６の長さＷ６〔図６（ｂ）参照〕は、幅方向Ｙにおける非接着部５の長さＷ５〔図６（ｂ）参照〕に対して、好ましくは２０％以上、より好ましくは４０％以上であり、また好ましくは１００％以下、より好ましくは８０％以下であり、また好ましくは２０％以上１００％以下、より好ましくは４０％以上８０％以下である。
また、幅方向Ｙにおける非接着重複部６の長さＷ６〔図６（ｂ）参照〕は、幅方向Ｙにおける第３接着剤非配置部４５の長さＤｃ〔図６（ｂ）参照〕に対して、好ましくは２０％以上、より好ましくは３０％以上であり、また好ましくは１００％以下、より好ましくは７０％以下であり、また好ましくは２０％以上１００％以下、より好ましくは３０％以上７０％以下である。
さらに、幅方向Ｙにおける非接着重複部６の長さＷ６〔図６（ｂ）参照〕は、好ましくは０．５ｍｍ以上、より好ましくは１．０ｍｍ以上であり、また好ましくは３．５ｍｍ以下、より好ましくは２．０ｍｍ以下であり、また好ましくは０．５ｍｍ以上３．５ｍｍ以下、より好ましくは１．０ｍｍ以上２．０ｍｍ以下である。
【００３９】
同様の観点から、非接着重複部６は、長手方向Ｘにおいて、好ましくは吸収体１１の全長に亘って連続して延びていることが好ましく、製品全長と等しいことがより好ましい。
【００４０】
下側コアラップシート１４ｂ、防漏シート１５ａ及び外装不織布１５ｂの各部材が幅方向Ｙに効率的に伸びて、吸収体４の膨潤阻害をより抑制する観点、及び非接着部５と第３接着剤非配置部４５との重なりをより容易にする観点から、第２接着剤配置部３０は、第３接着剤配置部４０に比して、幅方向Ｙにおける配置ピッチが長いことが好ましい。第３接着剤配置部４０の配置ピッチＰｃの長さは、図５（ｃ）に示すように、幅方向Ｙにおける第３接着剤配置部４０の長さＷｃ及び第３接着剤非配置部４５の長さＤｃの合計の長さである。
【００４１】
第３接着剤配置部４０の配置ピッチＰｃ〔図５（ｃ）参照〕は、第２接着剤３の配置ピッチＰｂ〔図５（ｂ）参照〕に対して、好ましくは５％以上、より好ましくは１０％以上であり、また好ましくは６０％以下、より好ましくは３０％以下であり、また好ましくは５％以上６０％以下、より好ましくは１０％以上３０％以下である。
第２接着剤３の配置ピッチＰｂ〔図５（ｂ）参照〕と、第３接着剤配置部４０の配置ピッチＰｃ〔図５（ｃ）参照〕との差は、好ましくは１ｍｍ以上、より好ましくは１０ｍｍ以上であり、また好ましくは５０ｍｍ以下、より好ましくは４０ｍｍ以下であり、また好ましくは１ｍｍ以上５０ｍｍ以下、より好ましくは１０ｍｍ以上４０ｍｍ以下である。
【００４２】
同様の観点から、第２接着剤配置部３０は、第３接着剤配置部４０に比して、幅方向Ｙにおける長さが短いことが好ましい。
幅方向Ｙにおける第３接着剤配置部４０の長さＷｃ〔図５（ｃ）参照〕は、幅方向Ｙにおける第２接着剤３の長さＷｂ〔図５（ｂ）参照〕に対して、好ましくは１５０％以上、より好ましくは２００％以上であり、また好ましくは５００％以下、より好ましくは４００％以下であり、また好ましくは１５０％以上５００％以下、より好ましくは２００％以上４００％以下である。
幅方向Ｙにおける第２接着剤配置部３０の長さＷｂ〔図５（ｂ）参照〕と、幅方向Ｙにおける第３接着剤配置部４０の長さＷｃ〔図５（ｃ）参照〕との差は、好ましくは０．５ｍｍ以上、より好ましくは１．０ｍｍ以上であり、また好ましくは４．０ｍｍ以下、より好ましくは３．０ｍｍ以下であり、また好ましくは０．５ｍｍ以上４．０ｍｍ以下、より好ましくは１．０ｍｍ以上３．０ｍｍ以下である。
【００４３】
外装不織布１５ｂの柔軟性及び吸収体１１の膨潤阻害の抑制を両立させる観点から、第３接着剤４は、下記の寸法で配されることが好ましい。
第３接着剤配置部４０の合計面積は、第３ストライプ配置領域４１の面積に対して、好ましくは２５％以上、より好ましくは３０％以上であり、また好ましくは５０％以下、より好ましくは４０％以下であり、また好ましくは２５％以上５０％以下であり、より好ましくは３０％以上４０％以下である。
【００４４】
第３ストライプ配置領域４１は、幅方向Ｙにおいて防漏シート１５ａの全域に亘っていることが好ましい。幅方向Ｙにおける第３ストライプ配置領域４１の長さＷ３（図４参照）は、幅方向Ｙにおける吸収体１１の最大長さよりも長いことが好ましく、幅方向Ｙにおける防漏シート１５ａの長さＷ１５ａと同じであることがより好ましい。また、長手方向Ｘにおける第３ストライプ配置領域４１は、長手方向Ｘにおける防漏シート１５ａの全域に亘っていることが好ましい。長手方向Ｘにおける第３ストライプ配置領域４１の長さＬ３（図４参照）は、長手方向Ｘにおいて、吸収体１１の全長よりも長いことが好ましく、防漏シート１５ａの長さＬ１５ａと同じであることがより好ましい。また、長手方向Ｘにおける第３ストライプ配置領域４１の長さＬ３（図４参照）は、長手方向Ｘにおける吸収体１１の全長よりも長いことが好ましく、長手方向Ｘにおける防漏シート１５ａの長さと同じであることがより好ましい。
【００４５】
幅方向Ｙにおける第３接着剤４の配置ピッチＰｃ〔図５（ｃ）参照〕は、好ましくは１．５ｍｍ以上、より好ましくは２．０ｍｍ以上であり、また好ましくは８．０ｍｍ以下、より好ましくは６．０ｍｍ以下であり、また好ましくは１．５ｍｍ以上８．０ｍｍ以下、より好ましくは２．０ｍｍ以上６．０ｍｍ以下である。
幅方向Ｙにおける第３接着剤配置部４０の長さＷｃ〔図５（ｃ）参照〕は、第３接着剤配置部４０の配置ピッチＰｃに対して、好ましくは１５％以上、より好ましくは２０％以上であり、また好ましくは７０％以下、より好ましくは６０％以下であり、また好ましくは１５％以上７０％以下、より好ましくは２０％以上６０％以下である。
【００４６】
幅方向Ｙにおける第３接着剤配置部４０の長さＷｃ〔図５（ｃ）参照〕は、好ましくは０．５ｍｍ以上、より好ましくは１．０ｍｍ以上であり、また好ましくは４．０ｍｍ以下、より好ましくは３．０ｍｍ以下であり、また好ましくは０．５ｍｍ以上４．０ｍｍ以下、より好ましくは１．５ｍｍ以上３．０ｍｍ以下である。
【００４７】
おむつ１（吸収性物品）の幅方向Ｙにおける強度を向上させる観点から、防漏シートと前記外装不織布との間が、図５（ｄ）に示すように、スパイラル状に配された接着剤を介して接合されていることが好ましい。また、第３接着剤配置部４０ｓを形成するスパイラル状の連続線９０が幅方向Ｙに複数本、間欠配置され、且つ長手方向Ｘに伸びていることが好ましい〔図５（ｄ）参照〕。このスパイラル状に配された第３接着剤４からなる第３接着剤配置部４０ｓ間に配される第３接着剤非配置部４５ｓが、前述した非接着部５と重なることにより、吸収体１１の膨潤阻害をより抑制することができる。
【００４８】
第３接着剤配置部４０の各連続線９０は、幅方向Ｙの両側それぞれに複数の折り返し部９１〔図５（ｄ）中○を付した部分〕を有している。各連続線９０においては、幅方向Ｙの両側それぞれにおいて複数の折り返し部９１の幅方向Ｙの位置が揃っており、幅方向Ｙの一方側の折り返し部９１と他方側の折り返し部９１との間の長さが均一である。第３接着剤４は、幅方向Ｙの両側それぞれにおいて複数の折り返し部９１の幅方向位置が不揃い、即ち、幅方向一方側の折り返し部９１と他方側の折り返し部９１との間の長さが不均一なように配されていても良い。また、上記の「スパイラル状」とは、図５（ｄ）に示すパターン以外に、オメガ字が左右の両端において複数連続したパターンである連続オメガ字パターンも含む。以下、第３接着剤４をスパイラル状に配した領域である、第３接着剤配置部４０ｓと第３接着剤非配置部４５ｓとを含めた領域を、スパイラル配置領域４１ｓともいう。
【００４９】
第３接着剤４をスパイラル状に配する場合、該第３スパイラル配置領域４１ｓも第３ストライプ配置領域４１の長さＷ３と同様、幅方向Ｙおける吸収体１１の最大長さよりも長いことが好ましく、幅方向Ｙおける防漏シート１５ａの長さＷ１５ａと同じであることがより好ましい。また、長手方向Ｘにおけるスパイラル配置領域４１ｓの長さＬｓ（図４参照）も同様に、長手方向Ｘにおける吸収体１１の全長よりも長いことが好ましく、長手方向Ｘにおける防漏シート１５ａの長さＬ１５ａと同じであることがより好ましい。
【００５０】
幅方向Ｙにおける第３接着剤配置部４０の配置ピッチＰｃｓ〔図５（ｄ）参照〕は、好ましくは４ｍｍ以上、より好ましくは８ｍｍ以上であり、また好ましくは４０ｍｍ以下、より好ましくは３０ｍｍ以下であり、また好ましくは４ｍｍ以上４０ｍｍ以下、より好ましくは８ｍｍ以上３０ｍｍ以下である。第３接着剤４の配置ピッチＰｃｓの長さは、図５（ｄ）に示すように、幅方向Ｙにおける第３接着剤配置部４０ｓの長さＷｃｓ及び第３接着剤非配置部４５ｓの長さＤｃｓの合計の長さである。なお、幅方向Ｙにおける第３接着剤配置部４０ｓの長さＷｃｓは、幅方向Ｙの一方側の折り返し部９１と他方側の折り返し部９１との間の最大長さであり、幅方向Ｙにおける第３接着剤非配置部４５ｓの長さＤｃｓは、幅方向Ｙに隣り合う第３接着剤配置部４０ｓにおける対向する折り返し部９１どうしの間隔の最大長さである。
【００５１】
幅方向Ｙにおける第３接着剤配置部４０ｓの長さＷｃｓ〔図５（ｄ）参照〕は、第３接着剤配置部４０の配置ピッチＰｃｓに対して、好ましくは２０％以上、より好ましくは３０％以上であり、また好ましくは７０％以下、より好ましくは８０％以下であり、また好ましくは２０％以上８０％以下、より好ましくは３０％以上７０％以下である。
幅方向Ｙにおける第３接着剤配置部４０ｓの長さＷｃｓ〔図５（ｄ）参照〕は、好ましくは３ｍｍ以上、より好ましくは４ｍｍ以上であり、また好ましくは２０ｍｍ以下、より好ましくは１５ｍｍ以下であり、また好ましくは３ｍｍ以上２０ｍｍ以下、より好ましくは４ｍｍ以上１５ｍｍ以下である。
【００５２】
第３接着剤４をスパイラル状に配する場合においても、吸収性物品の平面視において第３接着剤非配置部４５と非接着部５とが重なった部分である非接着重複部６は、幅方向Ｙにおける長さが、前述した範囲内であることが好ましい。また、非接着重複部６は、長手方向Ｘにおいて、前述した範囲内で連続して延びていることが好ましい。
【００５３】
本実施形態における第１接着剤２、第２接着剤３及び第３接着剤４の各接着剤は、ホットメルト型の接着剤であり、コーターを用いて塗工してある。接着剤としては、使い捨ておむつ等に従来用いられている各種公知の接着剤を用いることができる。
接着剤をストライプ状に塗工する方法としては、前記コーター式のほか、グラビア式、凸版式、ビード式、スプレー式等の公知のいずれの方法をも選択することができる。
【００５４】
第１接着剤２、第２接着剤３、第３接着剤４の塗布量は、充分な接合強度を確保する観点から、好ましくは０．１ｇ／ｍ２以上、より好ましくは０．３ｇ／ｍ２以上であり、また好ましくは５．０ｇ／ｍ２以下、より好ましくは３．０ｇ／ｍ２以下であり、また好ましくは０．１ｇ／ｍ２以上５．０ｇ／ｍ２以下、より好ましくは０．３ｇ／ｍ２以上３．０ｇ／ｍ２以下である。
上記の各接着剤２，３，４の塗布量は、各接着剤の接着剤配置部同士間に位置する接着剤非配置部も含めた配置領域全体の面積を求め、該面積に対する該領域中の接着剤の総重量を求める。
【００５５】
おむつ１における各部の形成材料について説明すると、表面シート１２、防漏シート１５ａ、外装不織布１５ｂ、吸収体１１、立体ギャザー形成用シート１６の形成材料としては、従来の使い捨ておむつにおいて、それぞれ材料として用いられている各種公知の材料等を、特に制限なく用いることができる。例えば、表面シート１２としては、不織布や開孔フィルム等の各種液透過性のシート材を用いることができる。防漏シート１５ａとしては、透湿性を有しない樹脂フィルムや、微細孔を有し、透湿性を有する樹脂フィルム、撥水不織布等の不織布、これらと他のシートとのラミネート体等を用いることができる。外装不織布１５ｂとしては、各種製法による不織布、例えば、エアスルー不織布、スパンボンド不織布、スパンレース不織布、ニードルパンチ不織布等を用いることができ、多層構造のものであっても良い。
【００５６】
テープ基材７５の形成材料としては、ポリエチレンや、ポリプロピレン、ポリエチレンテレフタレート等などの合成樹脂、及びこれら合成樹脂２種以上の複合材料からなるシートや不織布等を用いることができる。
【００５７】
以上、本発明の好ましい実施形態について説明したが、本発明は、上述した実施形態に制限されず、本発明の趣旨を逸脱しない範囲で種々変更が可能である。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００５８】
上述した実施形態に関し、さらに以下の吸収性物品を開示する。
＜１＞
表面シート、吸収体及び裏面シートを備え、長手方向及びそれと直交する幅方向を有する縦長の吸収性物品であって、
前記吸収体は、吸収性コアと該吸収性コアを被覆するコアラップシートとを有しており、
前記吸収性コアの非肌対向面側に位置する下側コアラップシートは、ストライプ状に配された第１接着剤を介して前記吸収性コアの非肌対向面に接合されており、且つストライプ状に配された第２接着剤を介して前記裏面シートの肌対向面に接合されており、
前記下側コアラップシートは、前記吸収性コア及び前記裏面シートの何れにも接着されていない非接着部を前記幅方向に複数有し、複数の該非接着部それぞれは前記長手方向に延びている、吸収性物品。
【００５９】
＜２＞
前記非接着部は、前記第１接着剤が配されていない第１接着剤非配置部と、前記第２接着剤が配されていない第２接着剤非配置部とが完全に重なることによって、形成されている、前記＜１＞に記載の吸収性物品。
＜３＞
前記非接着部は、前記第１接着剤が配されていない第１接着剤非配置部と、前記第２接着剤が配されていない第２接着剤非配置部とが部分的に重なることによって、形成されている、前記＜１＞又は＜２＞に記載の吸収性物品。
＜４＞
前記非接着部は、前記幅方向における前記第１接着剤が配された第１接着剤配置部又は前記第２接着剤が配された第２接着剤配置部の両側に形成されている、前記＜１＞〜＜３＞の何れか１に記載の吸収性物品。
＜５＞
前記第１接着剤が配された第１接着剤配置部は、前記第２接着剤が配された第２接着剤配置部に比して、前記幅方向における配置ピッチが短い、前記＜１＞〜＜４＞の何れか１に記載の吸収性物品。
＜６＞
前記第１接着剤配置部の配置ピッチＰａは、前記第２接着剤配置部の配置ピッチＰｂに対して、好ましくは１０％以上、より好ましくは１５％以上であり、また好ましくは８５％以下、より好ましくは５０％以下であり、また好ましくは１０％以上８５％以下、より好ましくは１５％以上５０％以下である、前記＜５＞に記載の吸収性物品。
＜７＞
前記第１接着剤配置部の配置ピッチＰａと、前記第２接着剤配置部の配置ピッチＰｂとの差は、好ましくは１ｍｍ以上、より好ましくは１０ｍｍ以上であり、また好ましくは４５ｍｍ以下、より好ましくは３５ｍｍ以下であり、また好ましくは１ｍｍ以上４５ｍｍ以下、より好ましくは１０ｍｍ以上３５ｍｍ以下である、前記＜５＞又は＜６＞に記載の吸収性物品。
＜８＞
前記第１接着剤が配された第１接着剤配置部は、前記第２接着剤が配された第２接着剤配置部に比して、前記幅方向における長さが長い、前記＜１＞〜＜７＞の何れか１に記載の吸収性物品。
＜９＞
前記幅方向における前記第１接着剤配置部の長さＷａは、前記幅方向における前記第２接着剤配置部の長さＷｂに対して、好ましくは１２０％以上、より好ましくは１５０％以上であり、また好ましくは４００％以下、より好ましくは３００％以下であり、また好ましくは１２０％以上４００％以下、より好ましくは１５０％以上３００％以下である、前記＜８＞に記載の吸収性物品。
＜１０＞
前記幅方向における前記第１接着剤配置部の長さＷａと、前記幅方向における前記第２接着剤配置部の長さＷｂとの差は、好ましくは０．５ｍｍ以上、より好ましくは１．０ｍｍ以上であり、また好ましくは３．０ｍｍ以下、より好ましくは２．５ｍｍ以下であり、また好ましくは０．５ｍｍ以上３．０ｍｍ以下、より好ましくは１．０ｍｍ以上２．５ｍｍ以下である、前記＜８＞又は＜９＞に記載の吸収性物品。
【００６０】
＜１１＞
前記第１接着剤が配された第１接着剤配置部と、前記第１接着剤が配されていない第１接着剤非配置部とを含む第１ストライプ配置領域は、前記幅方向における長さＷ１が、前記幅方向における吸収性コアの最大長さＷ１３と同じである、前記＜１＞〜＜１０＞の何れか１に記載の吸収性物品。
＜１２＞
前記第１接着剤が配された第１接着剤配置部と、前記第１接着剤が配されていない第１接着剤非配置部とを含む第１ストライプ配置領域は、前記長手方向における長さＬ１が、前記長手方向における吸収性コアの全長Ｌ１３と同じである、前記＜１＞〜＜１１＞の何れか１に記載の吸収性物品。
＜１３＞
前記幅方向における前記第１接着剤配置部の長さＷａは、該第１接着剤配置部の配置ピッチＰａに対して、好ましくは２０％以上、より好ましくは３０％以上であり、また好ましくは８０％以下、より好ましくは７０％以下であり、また好ましくは２０％以上８０％以下、より好ましくは３０％以上７０％以下である、前記＜５＞〜＜１２＞の何れか１に記載の吸収性物品。
＜１４＞
前記幅方向における前記第１接着剤配置部の長さＷａは、好ましくは１．０ｍｍ以上、より好ましくは１．５ｍｍ以上であり、また好ましくは５．０ｍｍ以下、より好ましくは４．０ｍｍ以下であり、また好ましくは１．０ｍｍ以上５．０ｍｍ以下、より好ましくは１．５ｍｍ以上４．０ｍｍ以下である、前記＜５＞〜＜１３＞の何れか１に記載の吸収性物品。
＜１５＞
前記幅方向における前記第１接着剤が配されていない第１接着剤非配置部の長さＤａは、好ましくは０．５ｍｍ以上、より好ましくは１．０ｍｍ以上であり、また好ましくは５．０ｍｍ以下、より好ましくは４．０ｍｍ以下であり、また好ましくは０．５ｍｍ以上５．０ｍｍ以下、より好ましくは１．０ｍｍ以上４．０ｍｍ以下である、前記＜５＞〜＜１４＞の何れか１に記載の吸収性物品。
＜１６＞
前記第２接着剤が配された第２接着剤配置部と、前記第２接着剤が配されていない第２接着剤非配置部とを含む第２ストライプ配置領域は、前記幅方向において前記下側コアラップシートの全域に亘っていることが好ましく、前記下側コアラップシートよりも前記幅方向の外側に延出していることがより好ましい、前記＜１＞〜＜１５＞の何れか１に記載の吸収性物品。
＜１７＞
前記幅方向における前記第２ストライプ配置領域の長さＷ２は、前記幅方向における前記下側コアラップシートの最大長さＷ１４ｂより長い、前記＜１６＞に記載の吸収性物品。
＜１８＞
前記第２接着剤が配された第２接着剤配置部と、前記第２接着剤が配されていない第２接着剤非配置部とを含む第２ストライプ配置領域は、前記長手方向において前記下側コアラップシートの全長に亘っていることが好ましく、前記下側コアラップシートよりも前記長手方向の外側に延出していることがより好ましい、前記＜１＞〜＜１７＞の何れか１に記載の吸収性物品。
＜１９＞
前記長手方向における前記第２ストライプ配置領域の長さＬ２は、前記長手方向における前記下側コアラップシートの全長Ｌ１４ｂ長いことが好ましく、前記長手方向における前記裏面シートの全長と等しいことがより好ましく、前記長手方向における前記吸収性物品の全長と等しいことがさらに好ましい、前記＜１８＞に記載の吸収性物品。
＜２０＞
前記幅方向における前記第２接着剤配置部の長さＷｂは、該第２接着剤配置部の配置ピッチＰｂに対して、好ましくは２．５％以上、より好ましくは３％以上であり、また好ましくは１５％以下、より好ましくは１０％以下であり、また好ましくは２．５％以上１５％以下、より好ましくは３％以上１０％以下である、前記＜５＞〜＜１９＞の何れか１に記載の吸収性物品。
【００６１】
＜２１＞
前記幅方向における前記第２接着剤配置部の長さＷｂは、好ましくは０．５ｍｍ以上、より好ましくは１．０ｍｍ以上であり、また好ましくは３．０ｍｍ以下、より好ましくは２．５ｍｍ以下であり、また好ましくは０．５ｍｍ以上３．０ｍｍ以下、より好ましくは１．０ｍｍ以上２．５ｍｍ以下である、前記＜５＞〜＜２０＞の何れか１に記載の吸収性物品。
＜２２＞
前記幅方向における前記第２接着剤が配されていない第２接着剤非配置部の長さＤｂは、好ましくは３ｍｍ以上、より好ましくは５ｍｍ以上であり、また好ましくは５０ｍｍ以下、より好ましくは４０ｍｍ以下であり、また好ましくは３ｍｍ以上５０ｍｍ以下、より好ましくは５ｍｍ以上４０ｍｍ以下である、前記＜５＞〜＜２１＞の何れか１に記載の吸収性物品。
＜２３＞
前記幅方向における前記非接着部の長さＷ５は、前記幅方向における前記第１接着剤が配されていない第１接着剤非配置部２５の長さＤａに対して、好ましくは２０％以上、より好ましくは４０％以上であり、また好ましくは１００％以下、より好ましくは８０％以下であり、また好ましくは２０％以上１００％以下、より好ましくは４０％以上８０％以下である、前記＜５＞〜＜２３＞の何れか１に記載の吸収性物品。
＜２４＞
前記幅方向における前記非接着部の長さＷ５の総和は、前記幅方向における前記第２接着剤が配されていない第２接着剤非配置部３５の長さＤｂの総和に対して、好ましくは１５％以上、より好ましくは２５％以上であり、また好ましくは７５％以下、より好ましくは６５％以下であり、また好ましくは１５％以上７５％以下、より好ましくは２５％以上６５％以下である、前記＜１＞〜＜２３＞の何れか１に記載の吸収性物品。
＜２５＞
前記幅方向における前記非接着部の長さＷ５は、好ましくは０．５ｍｍ以上、より好ましくは１．０ｍｍ以上であり、また好ましくは４．０ｍｍ以下、より好ましくは２．５ｍｍ以下であり、また好ましくは０．５ｍｍ以上４．０ｍｍ以下、より好ましくは１．０ｍｍ以上２．５ｍｍ以下である、前記＜１＞〜＜２４＞の何れか１に記載の吸収性物品。
＜２６＞
前記非接着部５は、前記長手方向において、吸収体の全長に亘って連続して延びていることが好ましく、吸収性物品の全長と等しいことがより好ましい、前記＜１＞〜＜２５＞の何れか１に記載の吸収性物品。
＜２７＞
前記第２接着剤は、前記幅方向の中央領域に配される前記第２接着剤と、該中央領域の両側に配される前記第２接着剤とで湿潤時の接着強度が異なっている、前記＜１＞〜＜２６＞の何れか１に記載の吸収性物品。
＜２８＞
前記裏面シートは、防漏シートと該防漏シートの非肌対向面を被覆する外装不織布とを備えており、
前記防漏シートと前記外装不織布との間が、ストライプ状に配された第３接着剤を介して接合されており、
前記防漏シートと前記外装不織布との間に、前記第３接着剤が配された第３接着剤配置部と、前記第３接着剤が配されていない第３接着剤非配置部とが、前記幅方向に交互に且つそれぞれ前記長手方向に延びて形成されており、
前記第３接着剤非配置部と前記下側コアラップシートの前記非接着部とが、吸収性物品の平面視において重なっている、前記＜１＞〜＜２７＞の何れか１に記載の吸収性物品。
＜２９＞
前記第２接着剤が配された接着剤配置部は、前記第３接着剤配置部に比して、前記幅方向における配置ピッチが長い、前記＜２８＞に記載の吸収性物品。
＜３０＞
前記第２接着剤が配された接着剤配置部は、前記第３接着剤配置部に比して、前記幅方向における長さが短い、前記＜２８＞又は＜２９＞に記載の吸収性物品。
【００６２】
＜３１＞
前記第１接着剤、前記第２接着剤及び前記第３接着剤の何れもが存在しない非接着重複部は、前記幅方向における該非接着重複部の長さＷ６が、前記幅方向における前記非接着部の長さＷ５に対して、好ましくは２０％以上、より好ましくは４０％以上であり、また好ましくは１００％以下、より好ましくは８０％以下であり、また好ましくは２０％以上１００％以下、より好ましくは４０％以上８０％以下である、前記＜２８＞〜＜３０＞の何れか１に記載の吸収性物品。
＜３２＞
前記第１接着剤、前記第２接着剤及び前記第３接着剤の何れもが存在しない非接着重複部は、前記幅方向における該非接着重複部の長さＷ６が、前記幅方向における前記第３接着剤非配置部の長さＤｃに対して、好ましくは２０％以上、より好ましくは３０％以上であり、また好ましくは１００％以下、より好ましくは７０％以下であり、また好ましくは２０％以上１００％以下、より好ましくは３０％以上７０％以下である、前記＜２８＞〜＜３１＞の何れか１に記載の吸収性物品。
＜３３＞
前記第１接着剤、前記第２接着剤及び前記第３接着剤の何れもが存在しない非接着重複部は、前記幅方向における該非接着重複部の長さＷ６が、好ましくは０．５ｍｍ以上、より好ましくは１．０ｍｍ以上であり、また好ましくは３．５ｍｍ以下、より好ましくは２．０ｍｍ以下であり、また好ましくは０．５ｍｍ以上３．５ｍｍ以下、より好ましくは１．０ｍｍ以上２．０ｍｍ以下である、前記＜２８＞〜＜３２＞の何れか１に記載の吸収性物品。
＜３４＞
前記第１接着剤、前記第２接着剤及び前記第３接着剤の何れもが存在しない非接着重複部は、前記長手方向において、前記吸収体の全長に亘って連続して延びていることが好ましく、前記吸収性物品の全長と等しいことがより好ましい、前記＜２８＞〜＜３３＞の何れか１に記載の吸収性物品。
＜３５＞
前記第３接着剤配置部の配置ピッチＰｃは、前記第２接着剤が配された第２接着剤配置部の配置ピッチＰｂに対して、好ましくは５％以上、より好ましくは１０％以上であり、また好ましくは６０％以下、より好ましくは３０％以下であり、また好ましくは５％以上６０％以下、より好ましくは１０％以上３０％以下である、前記＜２８＞〜＜３４＞の何れか１に記載の吸収性物品。
＜３６＞
前記第２接着剤が配された第２接着剤配置部の配置ピッチＰｂと、第３接着剤配置部４０の配置ピッチＰｃとの差は、好ましくは１ｍｍ以上、より好ましくは１０ｍｍ以上であり、また好ましくは５０ｍｍ以下、より好ましくは４０ｍｍ以下であり、また好ましくは１ｍｍ以上５０ｍｍ以下、より好ましくは１０ｍｍ以上４０ｍｍ以下である、前記＜２８＞〜＜３５＞の何れか１に記載の吸収性物品。
＜３７＞
前記幅方向における第３接着剤配置部の長さＷｃは、前記幅方向における第２接着剤が配された第２接着剤配置部の長さＷｂに対して、好ましくは１５０％以上、より好ましくは２００％以上であり、また好ましくは５００％以下、より好ましくは４００％以下であり、また好ましくは１５０％以上５００％以下、より好ましくは２００％以上４００％以下である、前記＜２８＞〜＜３６＞の何れか１に記載の吸収性物品。
＜３８＞
前記幅方向における前記第２接着剤が配された第２接着剤配置部の長さＷｂと、前記幅方向における第３接着剤配置部の長さＷｃとの差は、好ましくは０．５ｍｍ以上、より好ましくは１．０ｍｍ以上であり、また好ましくは４．０ｍｍ以下、より好ましくは３．０ｍｍ以下であり、また好ましくは０．５ｍｍ以上４．０ｍｍ以下、より好ましくは１．０ｍｍ以上３．０ｍｍ以下である、前記＜２８＞〜＜３７＞の何れか１に記載の吸収性物品。
＜３９＞
前記第３接着剤配置部の合計面積は、前記第３接着剤配置部及び前記第３接着剤非配置部を含む第３ストライプ配置領域の面積に対して、好ましくは２５％以上、より好ましくは３０％以上であり、また好ましくは５０％以下、より好ましくは４０％以下であり、また好ましくは２５％以上５０％以下であり、より好ましくは３０％以上４０％以下である、前記＜２８＞〜＜３８＞の何れか１に記載の吸収性物品。
＜４０＞
前記第３接着剤配置部及び前記第３接着剤非配置部を含む第３ストライプ配置領域は、前記幅方向における該第３ストライプ配置領域の長さＷ３が、前記幅方向において、前記吸収体の幅よりも長いことが好ましく、前記防漏シートの長さＷ１５ａと同じであることがより好ましい、前記＜２８＞〜＜３９＞の何れか１に記載の吸収性物品。
【００６３】
＜４１＞
前記第３接着剤配置部及び前記第３接着剤非配置部を含む第３ストライプ配置領域は、前記長手方向における第３ストライプ配置領域の長さＬ３が、前記長手方向において、前記吸収体の全長よりも長いことが好ましく、前記防漏シートの長さＬ１５ａと同じであることがより好ましい、前記＜２８＞〜＜４０＞の何れか１に記載の吸収性物品。
＜４２＞
前記幅方向における前記第３接着剤配置部の配置ピッチＰｃは、好ましくは１．５ｍｍ以上、より好ましくは２．０ｍｍ以上であり、また好ましくは８．０ｍｍ以下、より好ましくは６．０ｍｍ以下であり、また好ましくは１．５ｍｍ以上８．０ｍｍ以下、より好ましくは２．０ｍｍ以上６．０ｍｍ以下である、前記＜２８＞〜＜４１＞の何れか１に記載の吸収性物品。
＜４３＞
前記幅方向における前記第３接着剤配置部の長さＷｃは、前記第３接着剤配置部の配置ピッチＰｃに対して、好ましくは１５％以上、より好ましくは２０％以上であり、また好ましくは７０％以下、より好ましくは６０％以下であり、また好ましくは１５％以上７０％以下、より好ましくは２０％以上６０％以下である、前記＜２８＞〜＜４２＞の何れか１に記載の吸収性物品。
＜４４＞
前記幅方向における前記第３接着剤配置部の長さＷｃは、好ましくは０．５ｍｍ以上、より好ましくは１．０ｍｍ以上であり、また好ましくは４．０ｍｍ以下、より好ましくは３．０ｍｍ以下であり、また好ましくは０．５ｍｍ以上４．０ｍｍ以下、より好ましくは１．５ｍｍ以上３．０ｍｍ以下である、前記＜２８＞〜＜４３＞の何れか１に記載の吸収性物品。
＜４５＞
前記裏面シートは、防漏シートと該防漏シートの非肌対向面を被覆する外装不織布とを備えており、
前記防漏シートと前記外装不織布との間が、スパイラル状に配された第３接着剤を介して接合されており、
前記防漏シートと前記外装不織布との間には、前記第３接着剤が配された第３接着剤配置部と、前記第３接着剤が配されていない第３接着剤非配置部とが前記幅方向に交互に、且つそれぞれ長手方向に延びて形成されており、
前記第３接着剤非配置部と前記下側コアラップシートの前記非接着部とは、前記吸収性物品の平面視において重なっている、前記＜１＞〜＜２７＞の何れか１に記載の吸収性物品。
＜４６＞
前記第３接着剤配置部と前記第３接着剤配置部とを含む第３スパイラル配置領域は、前記幅方向における該第３スパイラル配置領域の長さが、前記幅方向における前記吸収体の最大長さよりも長いことが好ましく、前記幅方向おける前記防漏シート１５ａの長さと同じであることがより好ましい、前記＜４５＞に記載の吸収性物品。
＜４７＞
前記第３接着剤配置部と前記第３接着剤配置部とを含む第３スパイラル配置領域は、前記長手方向における該第３スパイラル配置領域の長さＬｓが、長手方向における吸収体１１の全長よりも長いことが好ましく、長手方向における防漏シート１５ａの長さＬ１５ａと同じであることがより好ましい、前記＜４５＞又は＜４６＞に記載の吸収性物品。
＜４８＞
前記幅方向における前記第３接着剤配置部の配置ピッチＰｃｓは、好ましくは４ｍｍ以上、より好ましくは８ｍｍ以上であり、また好ましくは４０ｍｍ以下、より好ましくは３０ｍｍ以下であり、また好ましくは４ｍｍ以上４０ｍｍ以下、より好ましくは８ｍｍ以上３０ｍｍ以下である、前記＜４５＞〜＜４７＞の何れか１に記載の吸収性物品。
＜４９＞
前記幅方向における前記第３接着剤配置部の長さＷｃｓは、前記第３接着剤配置部４０の配置ピッチＰｃｓに対して、好ましくは２０％以上、より好ましくは３０％以上であり、また好ましくは７０％以下、より好ましくは８０％以下であり、また好ましくは２０％以上８０％以下、より好ましくは３０％以上７０％以下である、前記＜４５＞〜＜４８＞の何れか１に記載の吸収性物品。
＜５０＞
前記幅方向における前記第３接着剤配置部の長さＷｃｓは、好ましくは３ｍｍ以上、より好ましくは４ｍｍ以上であり、また好ましくは２０ｍｍ以下、より好ましくは１５ｍｍ以下であり、また好ましくは３ｍｍ以上２０ｍｍ以下、より好ましくは４ｍｍ以上１５ｍｍ以下である、前記＜４５＞〜＜４９＞の何れか１に記載の吸収性物品。
【００６４】
＜５１＞
前記第１接着剤及び前記第２接着剤の何れか一方又は双方の塗布量が、好ましくは０．１ｇ／ｍ２以上、より好ましくは０．３ｇ／ｍ２以上であり、また好ましくは５．０ｇ／ｍ２以下、より好ましくは３．０ｇ／ｍ２以下であり、また好ましくは０．１ｇ／ｍ２以上５．０ｇ／ｍ２以下、より好ましくは０．３ｇ／ｍ２以上３．０ｇ／ｍ２以下である、前記＜１＞〜＜５０＞の何れか１に記載の吸収性物品。
＜５２＞
前記第３接着剤の塗布量が、好ましくは０．１ｇ／ｍ２以上、より好ましくは０．３ｇ／ｍ２以上であり、また好ましくは５．０ｇ／ｍ２以下、より好ましくは３．０ｇ／ｍ２以下であり、また好ましくは０．１ｇ／ｍ２以上５．０ｇ／ｍ２以下、より好ましくは０．３ｇ／ｍ２以上３．０ｇ／ｍ２以下である、前記＜２８＞〜＜５１＞の何れか１に記載の吸収性物品。
【符号の説明】
【００６５】
１  使い捨ておむつ
１２  表面シート
１１  吸収体
１３  吸収性コア
１４  コアラップシート
１４ａ  上側コアラップシート
１４ｂ  下側コアラップシート
１５  裏面シート
１５ａ  防漏シート
１５ｂ  外装不織布
１６    立体ギャザー形成用シート
１６ａ  弾性部材
１７    レッグ部弾性部材
２    第１接着剤
２０  第１接着剤配置部
２５  第１接着剤非配置部
３    第２接着剤
３０  第２接着剤配置部
３５  第２接着剤非配置部
４    第３接着剤
４０  第３接着剤配置部
４５  第３接着剤非配置部
５    非接着部
６    非接着重複部
７    ファスニングテープ
８    ランディングゾーン
Ａ    腹側部
Ｂ    背側部
Ｃ    股下部
Ｘ    長手方向
Ｙ    幅方向
ＣＬ  中央線
【図１】
2018102805.tif 000003
【図２】
2018102805.tif 000004
【図３】
2018102805.tif 000005
【図４】
2018102805.tif 000006
【図５】
2018102805.tif 000007
【図６】
2018102805.tif 000008
【図７】
2018102805.tif 000009